(57)【要約】本発明は、セル配列（１）を有する電池（２）に関する。セル配列（１）は複数の電池セル（５）を有し、セル配列（１）は少なくとも２つの電池部（６）を有し、各電池部（６）は複数の電池セル（５）で構成される。本発明によると、隣接し合う少なくとも２つの電池部（６）の間に、第１の側（２０）と第２の側（２６）とを有する少なくとも部分的に導電性および熱伝導性の接触部要素（７）が配置され、接触部要素（７）は第１の側（２０）および第２の側（２６）の各々に少なくとも１つの導電性および熱伝導性の接触部を有し、その接触部要素（７）の第１の側（２０）に面する複数の終端端子がこの第１の側（２０）の少なくとも１つの接触部に導電可能および熱伝導可能に接続され、この接触部要素（７）の第２の側（２６）に面する各終端端子がこの第２の側（２６）の少なくとも１つの接触部に導電可能および熱伝導可能に接続され、電池セル（５）の終端端子は、電流および熱流がセル集合体（１）全体にわたって分散されるように、接触部要素（７）を介して互いに導電可能および熱伝導可能に接続される。【選択図】図１
2019522322.tif 000002
【特許請求の範囲】
【請求項１】
セル配列（１）を有する電池（２）であって、前記セル配列（１）は複数の電池セル（５）を有し、前記セル配列（１）は少なくとも２つの電池部（６）を有し、各電池部（６）は複数の電池セル（５）で構成され、各電池セル（５）は第１終端端子および第２終端端子を有し、各電池セルの（５）前記第１終端端子および前記第２終端端子の間に電池セル長手方向軸線が延び、各電池部（６）の前記電池セル長手方向軸線の各々は互いに平行に配置され、前記電池部（６）は互いに隣接配置される、電池（２）において、少なくとも２つの隣接電池部（６）の間に、第１の側（２０）と第２の側（２６）とを有する少なくとも部分的に導電性および熱伝導性の接触部要素（７）が配置され、前記接触部要素（７）は、前記第１の側（２０）および前記第２の側（２６）の各々に少なくとも１つの導電性および熱伝導性の接触部（２１）を有し、前記電池部（６）は、前記電池部（６）の前記電池セル（５）の前記電池セル長手方向軸線に垂直に前記電池部（６）の前記電池セル（５）のうちの少なくとも１つを通って延びる平面を各電池部（６）に割り当て可能であるように、互いに対して配置され、この平面は前記電池部（６）に隣接する複数の電池部（６）に交差せず、その接触部要素（７）の前記第１の側（２０）に面する前記終端端子はこの第１の側（２０）の前記少なくとも１つの接触部（２１）に導電可能および熱伝導可能に接続され、この接触部要素（７）の前記第２の側（２６）に面する前記終端端子はこの第２の側（２６）の前記少なくとも１つの接触部（２１）に導電可能および熱伝導可能に接続され、電流および熱流がセル集合体（１）全体にわたって分散されるように前記電池セル（５）の終端端子が前記接触部要素（７）を介して互いに導電可能および熱伝導可能に接続される、ことを特徴とする電池（２）。
【請求項２】
前記第１の側（２０）の前記少なくとも１つの接触部（２１）に接続された前記終端端子は前記接触部要素（７）を介して互いに導電可能および熱伝導可能に相互接続され、前記第２の側（２６）の前記少なくとも１つの接触部（２１）に接続された前記終端端子は前記接触部要素（７）を介して互いに導電可能および熱伝導可能に相互接続され、前記電池セル（５）が直列電気接続および並列電気接続で互いに導電可能に接続されるように前記第１の側（２０）の前記少なくとも１つの接触部（２１）に接続された前記終端端子は前記接触部要素（７）を介して前記第２の側（２６）の前記少なくとも１つの接触部（２１）に導電可能および熱伝導可能に相互接続されることを特徴とする、請求項１に記載の電池（２）。
【請求項３】
隣接し合う電池部（６）が前記隣接し合う電池部（６）のうちの１つの電池セル長手方向軸線の方向に互いに離隔されることを特徴とする、請求項１または２に記載の電池（２）。
【請求項４】
隣接し合う電池部（６）の前記電池セル（５）は、一電池部（６）の一電池セル（５）の電池セル長手方向軸線に平行にこの電池セル（５）を通って延びる少なくとも１つの軸線が、隣接する一電池部（６）内の一電池セル（５）に交差するように、配置されることを特徴とする、請求項１〜３の何れか一項に記載の電池（２）。
【請求項５】
隣接し合う電池部（６）の前記電池セル（５）は一接触部要素（７）に反対の向きで当接することを特徴とする、請求項１〜４の何れか一項に記載の電池（２）。
【請求項６】
前記電池（２）の全ての電池部（６）の前記電池セル（５）は互いに平行に位置合わせされた電池セル長手方向軸線を有することを特徴とする、請求項１〜５の何れか一項に記載の電池（２）。
【請求項７】
前記電池（２）の前記電池部（６）は前記電池セル長手方向軸線に平行に延びる電池軸線に沿って互いに前後に配置されることを特徴とする、請求項６に記載の電池（２）。
【請求項８】
前記電池の全ての電池部が電池室内に位置し、前記電池軸線に垂直な前記電池室の電池室断面が前記電池軸線に垂直な電池部の電池部包囲体の最大電池部断面に相当し、前記最大電池部断面は前記電池軸線に沿った全ての電池部の全ての電池部断面を含む電池部の電池部断面であることを特徴とする、請求項７に記載の電池（２）。
【請求項９】
前記電池セル（５）の第１終端端子は電池のプラス端子を形成し、前記電池セル（５）の第２終端端子は電池のマイナス端子を形成し、一電池部（６）の前記電池セル（５）の各々は電池のプラス端子のみを介して、または電池のマイナス端子のみを介して、一接触部要素（７）に接続されることを特徴とする、請求項１〜８の何れか一項に記載の電池（２）。
【請求項１０】
前記接触部要素（７）は板状に構成されることを特徴とする、請求項１〜９の何れか一項に記載の電池（２）。
【請求項１１】
前記接触部要素（７）は互いにずらして段状に配置された複数の平坦部を前記接触部要素（７）に有することを特徴とする、請求項１〜１０の何れか一項に記載の電池（２）。
【請求項１２】
加圧板（３）が前記セル配列（１）の電池始端領域（８）および電池終端領域（９）の各々に配置され、前記加圧板（３）は引張要素（４）を介して互いに接続され、これにより前記少なくとも１つの接触部要素（７）に当接する前記電池セル（５）は前記少なくとも１つの接触部要素（７）に押し当てられ、前記電池始端領域（８）および前記電池終端領域（９）は前記セル集合体（１）の第１端部および第２端部において終端端子によって画成されることを特徴とする、請求項１〜１１の何れか一項に記載の電池（２）。
【請求項１３】
前記電池部（６）内の前記電池セル（５）は第１セル平面および第２セル平面（１５、１６）に配置され、前記第１セル平面および前記第２セル平面（１５、１６）は電池部（６）内に交互に配置され、各セル平面に沿って少なくとも２つの電池セル（５）が配置され、前記第１セル平面（１５）の隣接電池セル（５）と前記第２セル平面（１６）の隣接電池セル（５）との間に等しい距離が予め決められ、前記第１セル平面（１５）の前記電池セル（５）は前記第２セル平面（１６）の前記電池セル（５）からずらして配置され、前記引張要素（４）のうちの１つが通される少なくとも１つの外側通路部（１７）が前記側方表面内に形成されるように全ての電池部（６）内の前記電池セル（５）が同様に配置されることを特徴とする、請求項１〜１２の何れか一項および請求項７に記載の電池（２）。
【請求項１４】
前記電池セル（５）は前記電池部（６）のコーナー領域において他の２つの電池セル（５）に当接し、前記電池部（６）の端縁領域において他の３つの電池セル（５）に当接し、コーナー領域または端縁領域に配置されていない全ての電池セル（５）が他の６つの電池セル（５）に当接することを特徴とする、請求項１〜１２の何れか一項に記載の電池（２）。
【請求項１５】
電池部（６）の終端端子が隣接電池部（６）の終端端子に導電可能および熱伝導可能に直接当接することを特徴とする、請求項１〜１４の何れか一項に記載の電池（２）。
【請求項１６】
前記電池部（６）の前記電池セル（５）が通される少なくとも１つの位置決め板（１０）が前記セル集合体（１）内に配置され、前記位置決め板（１０）は少なくとも１つの電池セル（５）を通すための、前記電池部（６）の前記電池セル（５）の周囲の包囲体によって画成された、少なくとも１つの凹部を有し、前記凹部は、少なくとも１つの電池セル（５）を前記電池（２）の内部に位置決めし安定化させるために、前記少なくとも１つの電池セル（５）の周囲に形状嵌合式に係合することを特徴とする、請求項１〜１５の何れか一項に記載の電池（２）。
【請求項１７】
何れの場合も各接触部要素（７）の両側に位置決め板（１０）が配置されることを特徴とする、請求項１６に記載の電池（２）。
【請求項１８】
少なくとも１つの接触部要素（７）が放熱要素（１２）を介してヒートシンクに熱伝導可能に接続されることを特徴とする、請求項１〜１７の何れか一項に記載の電池（２）。
【請求項１９】
前記セル配列（１）は熱伝導性の筐体（３３）によって囲まれることを特徴とする、請求項１〜１８の何れか一項に記載の電池（２）。
【請求項２０】
前記放熱要素（１２）は前記筐体（３３）に接続されることを特徴とする、請求項１８および請求項１９に記載の電池（２）。
【請求項２１】
前記接触部要素（７）は金属体として構成されることを特徴とする、請求項１〜２０の何れか一項に記載の電池（２）。
【請求項２２】
前記接触部要素（７）は部分的に非導電材料製の導体構造要素として形成され、前記導体構造要素は第１の側（２０）および第２の側（２６）の各々に少なくとも１つの導電性および熱伝導性の接触部（２１）を有し、各接触部（２１）は他の各接触部（２１）に導電可能および熱伝導可能に接続されることを特徴とする、請求項１〜２０に記載の電池（２）。
【請求項２３】
前記導体構造要素の前記非導電材料に導電材料製および熱伝導材料製のコア（１１）が配置され、前記コア（１１）とは反対方向に向いた前記非導電材料の両側に何れの場合も前記少なくとも１つの接触部（２１）が配置され、少なくとも１つの導電性および熱伝導性の貫通要素（２９）が前記コア（１１）を貫通し、前記コア（１１）の両側に配置された前記非導電材料を貫通して延在し、前記貫通要素（２９）は、前記第２の側（２６）の前記接触部（２１）への前記第１の側（２０）の前記接触部（２１）の導電性および熱伝導性の接続が前記貫通要素（２９）を介して行われるように、および前記コア（１１）によって熱流が採集されて前記導体構造要素から放散可能であるように、前記コア（１１）から電気的に絶縁され、前記第１の側（２０）の前記少なくとも１つの接触部（２１）および前記第２の側（２６）の前記少なくとも１つの接触部（２１）に導電可能に接続されることを特徴とする、請求項２２に記載の電池（２）。
【請求項２４】
少なくとも２つの接触部（２１）と導電性および熱伝導性の接続部（２３）とが前記導体構造要素の前記第１の側（２０）に配置され、前記接続部（２３）は前記第１の側（２０）の前記接触部（２１）を互いに導電可能および熱伝導可能に接続し、前記第１の側（２０）の各接触部（２１）に電気ヒューズ（２４）が対応付けられ、前記接続部（２３）は各接触部（２１）にこの接触部（２１）に対応付けられた電気ヒューズ（２４）を介して接続され、前記接続部（２３）は、前記導体構造要素の前記第１の側（２０）の各接触部（２１）が前記第１の側（２０）の他の各接触部（２１）に、および前記導体構造要素の前記第２の側（２６）の各接触部（２１）に、少なくとも１つの電気ヒューズによって固定されるように、導電性の貫通要素（２９）を介して前記導体構造要素の前記非導電材料を通って前記第２の側（２６）の前記少なくとも１つの接触部（２１）に導電可能に接続されることを特徴とする、請求項２２または２３に記載の電池（２）。
【発明の詳細な説明】
【技術分野】
【０００１】
本発明は、セル配列を有する電池であって、セル配列は複数の電池セルを有し、セル配列は少なくとも２つの電池部を有し、各電池部は複数の電池セルで構成され、各電池セルは第１終端端子および第２終端端子を有し、各電池セルの第１終端端子および第２終端端子の間に電池セル長手方向軸線が延び、各電池部の電池セル長手方向軸線の各々は互いに平行に配置され、これら電池部は互いに隣接配置される、電池に関する。
【背景技術】
【０００２】
このような電池は従来技術において周知であり、多くの目的のために使用されている。異なる数の電池セルが並列および直列に接続されたさまざまなサイズの電池が従来技術から公知であり、電池によって提供される容量と電池によって供給される電圧とはそれぞれの用途に適合化可能である。特に本発明に関して、１つの重要な用途は、電動自動車のための電池の使用である。ただし、このような電池は他の多くの分野でも使用され得る。
【０００３】
電池セルは一次セルまたは二次セルであり得る。二次セルの使用時、電池は組電池と称されることが多い。さまざまな電池セル種別が従来技術から公知である。これらの違いは主に、電池セルのために使用される電極材料および電解液である。現在、リチウムイオン電池セルおよびニッケル金属ハイブリッド電池セル（独：Nickel-Metallhybrid-Batteriezellen，英：nickel-metal hybrid battery cell）を有する組電池が多くの用途において使用されている。通常、単電池セル型の電池セルが電池に使用されている。用途によっては、さまざまな電池セル種別の電池セルの使用が可能であり、有用である。
【０００４】
特に、複数の電池セルが使用される大型電池、例えば電動自動車の作動のための電池、の場合は、とりわけ比較的高い電流での充電中に、高温区域が電池内に発生する。これにより、その高温区域に配置されている電池セルの充電または放電およびこれら電池セルの寿命が影響を受ける。温度が上昇した、すなわち高温の、区域は、温度ホットスポットとも称される。セル配列内の温度分布は、使用される電池セルの種類、電池セル同士の相対的な配置、電池セルを流れる充電電流または放電電流、およびそれぞれの電池セルの経年状態など、さまざまな要因によって影響される。
【発明の概要】
【課題を解決するための手段】
【０００５】
本発明の一目的は、温度ホットスポットの発生が電池内で回避される電池を提供することと見做される。
【０００６】
本発明によると、この目的は、隣接し合う少なくとも２つの電池部の間に第１の側と第２の側とを有する少なくとも部分的に導電性および熱伝導性の接触部要素が配置され、この接触部要素は第１の側および第２の側の各々に少なくとも１つの導電性および熱伝導性の接触部を有し、電池部の電池セルの電池セル長手方向軸線に垂直に電池部の電池セルのうちの少なくとも１つを通って延在する平面が各電池部に割り当て可能であるように電池部は互いに対して配置され、この平面は当該電池部に隣接する電池部に交差せず、その接触部要素の第１の側に面する終端端子はこの第１の側の少なくとも１つの接触部に導電可能および熱伝導可能に接続され、この接触部要素の第２の側に面する終端端子は第２の側の少なくとも１つの接触部に導電可能および熱伝導可能に接続され、電流および熱流がセル集合体全体にわたって分散されるように電池セルの終端端子が接触部要素を介して互いに導電可能および熱伝導可能に接続されることで達成される。
【０００７】
複数の異なる電池部の電池セルは、電池セル同士が決して完全には横並びに配置されないように配置される。複数の異なる電池部の個々の電池セルは、隣接電池部の電池セルから側方にずらして配置され得る。ただし、隣接し合う電池部の電池セルは完全には横並びに配置できない。その理由は、そうでなければ、隣接電池部の電池セルに同じく交差しない、電池部の電池セルの少なくとも１つを通る電池部の電池セル長手方向軸線に垂直な、平面が存在しないからである。
【０００８】
本発明による構成では、電池セルで発生した熱エネルギーの大部分が電池セルの終端端子を介してセル配列全体に伝達される。本明細書では、電池セル間の電気および熱エネルギーの分散は、接触部要素を介して行われる。電池の終端端子は、熱エネルギーの伝達に特に適している。その理由は、これら終端端子は電池の内部に熱伝導可能に接続され、更には熱伝導率および導電率が極めて高い材料で構成されるからである。これに対して、電池セルのセルジャケットを介した冷却および放熱は低効率であることが多い。その理由は、セルジャケットは、通常、熱伝導率および導電率が低い材料製であることによる。
【０００９】
全ての電池セルがその導電率および熱伝導率の点で一様に寸法設計されると、これら電池セル内での電流および熱流の一様な分散が得られる。１つ以上の電池セルの熱伝導率および／または抵抗が低減された場合は、この構成によって少なくとも残りの電池セルを介して電流および熱流が電池内で均等に分散される。電流および熱流の一様な分散は、電池内のホットスポットの防止を助ける。
【００１０】
本発明によると、電池セルからの熱エネルギーを電池部と個々の電池セルとの間の個々の電池部にわたって分散可能である。更に、本発明による構成の故に、電流をこれら電池セルに一様に分散可能である。より高い電流は電池セルをより加熱するので、電流の一様な分散は電池内の一様な熱分散に寄与する。電池セルの温度が変化すると、その抵抗も変化する。したがって、電池内の電池セルの電気抵抗および温度は相互に影響し合う。したがって、電池内の電流および熱エネルギーの両方をその複数の電池セルにわたって一様に分散させることが特に重要である。
【００１１】
本発明によると、２つの電池部の間に何れの場合も１つの接触部要素が配置される。これは、少なくとも部分的に導電性および熱伝導性の物体である。これは、接触部として適した面域を少なくとも複数部分に有する。電池の電池セルが接触部要素に導電可能および熱伝導可能に接続される。接触部要素は、さまざまな幾何学的形状構成を有し得る。接触部要素による電池セル同士の接触と接触部要素によって導電可能および熱伝導可能に接続された電池セル間の電流および熱流の分散とが接触部要素によって可能になる。接触部要素は、好ましくは剛体である。
【００１２】
したがって、各電池部内の電池セルはそれぞれの電池極性を基準に位置合わせされ得る。したがって、電池部内の全ての電池セルは、正の電池端子を形成する第１終端端子で第１の接触部要素に接触し、負の電池端子を形成する第２終端端子で第２の接触部要素に接触するように、位置合わせされ得る。ただし、これら電池セルは必ずしもそれぞれの電池極性を揃えて位置合わせされる必要はない。したがって、正の電池端子ならびに負の電池端子の両方を一接触部要素に当接させることも可能である。
【００１３】
第１の側の少なくとも１つの接触部に接続された各終端端子は、接触部要素を介して互いに導電可能および熱伝導可能に相互接続され、第２の側の少なくとも１つの接触部に接続された各終端端子は接触部要素を介して導電可能および熱伝導可能に互いに相互接続され、第１の側の少なくとも１つの接触部に接続された終端端子は、電池セルが直列電気接続および並列電気接続で導電可能に互いに接続されるように、加えて熱伝導可能に互いに接続されるように、接触部要素を介して第２の側の少なくとも１つの接触部に導電可能および熱伝導可能に接続されることが好ましい。このような回路では、電池の全ての電池セルにわたって熱および電流の特に一様な分散が得られることが分かっている。
【００１４】
好ましくは、隣接し合う電池部は、これら隣接し合う電池部の一方の電池セル長手方向軸線の方向に互いに離隔される。これら電池部の間の距離は、接触部要素によって設定可能である。この空間構成によると、複数の異なる電池セルの電池セルは、電池セル長手方向軸線に垂直な方向に互いに隣り合わせには配置できないが、隣接電池部の電池セル長手方向軸線の方向に常に互いにずらして離隔される。
【００１５】
本発明によると、一電池部の一電池セルの電池セル長手方向軸線に平行にこの電池セルを通って延びる少なくとも１つの軸線が隣接する一電池部内の一電池セルに交差するように、隣接し合う電池部の電池セルを配置することも可能である。したがって、隣接し合う電池部の電池セルは、一電池セルの断面がこの電池セルの電池セル長手方向軸線の方向に変位されたときにこれら電池セルの断面が少なくとも部分的に重なり合うように、互いに対して配置される。
【００１６】
更に、本発明によると、隣接し合う電池部の電池セルが接触部要素に互いに反対の向きで当接するようにすることが可能である。これにより、隣接し合う電池部内の電池セルの配置が互いに一致すると考えられる。ただし、本発明によると、隣接し合う電池部内で電池セルの配置を互いに違えることも可能である。したがって、何れの場合も、隣接する一電池部の何れの電池セルも接触部要素の反対側に当接しないように、一部または全ての電池セルを接触部要素に当接させ得る。
【００１７】
電池の全ての電池部の電池セルは互いに平行に位置合わせされた電池セル長手方向軸線を有すると特に好適である。したがって、一電池内の全ての電池セルは、電池軸線に向かって一致した位置合わせを有する。この構造の故に、このように構築された電池は、電池に対して電池軸線の方向に加えられた力を特に良好に吸収できる。このような構造は、隣接し合う電池部の全電池セルが接触部要素に互いに反対の向きで配置されるときに、特に有利である。したがって、電池セルからの電池軸線の方向への力が接触部要素を介して隣接電池部の対向電池セルに好都合に伝達される。
【００１８】
電池の全ての電池セルが互いに平行に位置合わせされた電池セル長手方向軸線を有する場合は、電池セル長手方向軸線に平行に延びる電池軸線に沿って電池の全ての電池部が互いに前後に配置されると有利である。したがって、これら電池部は互いに対してこの電池軸線に垂直な方向に配置されない。電池内の力を全ての電池セルの電池セル長手方向軸線に沿ってセル集合体全体にわたって特に良好に伝達できる。
【００１９】
電池の全ての電池部が電池室内に位置し、電池軸線に垂直な電池室の電池室断面が電池軸線に垂直な電池部の電池部包囲体の最大電池部断面に相当し、最大電池部断面が電池軸線に沿った全ての電池部の全ての電池部断面を含む電池部の電池部断面であると特に有益である。電池部包囲体は、それぞれの電池部のそれぞれの外側電池セルの側方表面によって形成される。したがって、一電池部の一断面は一電池部によって画成され、その面積は、電池の他の全ての電池部の断面の面積に等しいか、それより大きい。
【００２０】
好ましくは、電池セルの第１終端接続部は電池のプラス端子を形成し、電池セルの第２終端接続部は電池のマイナス端子を形成し、一電池部の電池セルの各々は電池のプラス端子のみを介して、または電池のマイナス端子のみを介して、接触部要素に接続される。本明細書では、接触部要素は、第１の側に電池のプラス端子のみが接触し、第２の側に電池のマイナス端子のみが接触することが好ましい。これにより、電池内の全ての電池セルにわたって、および電池内の全ての接触部要素にわたって、電気および熱の並列接続および直列接続が可能になる。電池のプラス端子を形成する電池セルの第１終端端子は、以下において正の終端端子と称される。電池の負の端子を形成する電池セルの第２終端端子は、以下において負の終端端子と称される。
【００２１】
本発明の特定の一実施形態によると、接触部要素は板状に構成される。板状の接触部要素は、その高さおよび幅に比べ小さい奥行きを特徴とする。隣接し合う電池部を互いに導電可能および熱伝導可能に接続するために、これら電池部の間に板状の接触部要素を特に容易に配置できる。これら接触部要素の一方の側の板状接触部要素の全ての接触部は一平面に延びる。あるいは、接触部要素は板状でなくてもよく、接触部要素上に互いにずらして段状に配置された複数の平坦部を有するだけでもよい。この場合、段状に互いにジグザグ配置された接触部を両側に有する接触部要素を有すると有利である。この接触部要素は、この接触部要素の片側に設けられた複数の接触部が２つの異なる平面に、または２より多い数の異なる平面に、配置されるように構成され得る。
【００２２】
好ましくは、セル配列の電池始端領域および電池終端領域の各々に加圧板が配置され、これら加圧板は引張要素を介して互いに接続され、これにより、少なくとも１つの接触部要素に当接する電池セルがこの少なくとも１つの接触部要素に押し当てられ、電池始端領域および電池終端領域はセル集合体の第１端部および第２端部において終端端子によって画成される。これにより、セル集合体内の構成要素はまとめて加圧される。本明細書では、加圧板は接触力を電池セルに加える。本発明によると、加圧板は電池始端部または電池終端部において接触圧を電池セルに直接加え得る。加圧板は、電池セルの終端端子に直接当接し得る。あるいは、加圧板は電池始端部において、または電池終端部において、接触力を電池セルに間接的に加えることができる。本発明によると、加圧板と電池セルとの間に追加の層が設けられ得る。この追加の層は、非導電および／または弾性的に構成され得る。更に、加圧板と電池始端領域との間に、および加圧板と電池終端領域との間に、接触部要素がそれぞれ配置され得る。
【００２３】
本発明によると、加圧板は平面状に形成可能であるが、さまざまな形状構成の加圧板も可能である。引張要素の各々は加圧板に接続される。本明細書では、引張要素は、引張力を加圧板に加えるように、加圧板間に挟持される。この引張力の故に、加圧板は上記の接触圧をセル配列に加えることができる。この接触力は、電池内のセル集合体の全ての電池部にわたって伝達される。その結果、高い接触力によって電池セルの終端端子と接触部要素との間の接触面積が増えるため、電池セルはセル集合体内の少なくとも１つの接触部要素に特に良好に接触させられる。
【００２４】
引張要素はロッドとして、チューブとして、または他の細長い要素として、設計可能である。ロッドは金属製であることが好ましく、鋼鉄製であることが最も好ましい。ただし、ロッドは代わりに、特に安定性があるプラスチック製、または複合材料製でもよい。
【００２５】
まとめて加圧することによって、電流および熱流が電池内で特に良好に分散可能である。更に、電池は、強い機械的荷重に耐えられるように、特定の方法で安定化される。これは、電池がこのような機械的応力に恒常的にさらされる場合に特に有利である。
【００２６】
好ましくは、電池部内の電池セルは、第１セル平面および第２セル平面に配置される。この場合、第１セル平面および第２セル平面は電池部内に交互に配置され、各セル平面に沿って少なくとも２つの電池セルが配置され、第１セル平面内の隣接電池セルと第２セル平面内の隣接電池セルとの間に等しい距離が予め決められ、第１セル平面内の電池セルは第２セル平面内の電池セルからずらして配置され、引張要素のうちの１つが通される少なくとも１つの外側通路部が側方表面内に形成されるように、全ての電池部内の電池セルが同様に配置される。第１セル平面の、または第２セル平面の、電池セルは、所望に応じて互いに離隔可能である。これら電池セルは、引張要素を通すことができる内側通路部がセル集合体内に存在するまで、互いに離隔可能である。
【００２７】
本発明の別の実施形態によると、電池セルは電池部のコーナー領域内の他の２つの電池セルに、および電池部の端縁領域内の他の３つの電池セルに、当接し、コーナー領域または端縁領域に配置されていない全ての電池セルは他の６つの電池セルに当接し、引張要素のうちの１つが通される少なくとも１つの外側通路部が側方表面内に形成されるように各接触部は対応するセル配列を有する。この配列によると、電池セルは互いに直接隣接して配置される。これにより、電池セルは特に良好に一緒に詰め込まれる。したがって、特に多数の電池セルを各電池部内に配置することが可能である。本明細書では、これら電池セルとこれら電池セルを囲む側方表面との間の外側通路部が得られる。ただし、本発明によると、電池部内の電池セルの偏位配置も可能である。
【００２８】
本発明によると、何れの場合も、引張要素のうちの１本が通される少なくとも１つの内側通路部が側方表面内に形成されるように、少なくとも１つの電池セルを電池部内から取り出すことができる。更なる電池セルの取り出しは、電池内の電池セルがジグザグ配置であっても、電池セルが他の何れかの配置であっても、可能である。その結果、通路部の役割を果たし得る追加空間を電池内に得ることができる。
【００２９】
加圧板は金属板として構成されると有利である。金属板は十分に安定性があるので、引張要素からの引張力をセル集合体に伝達できる。金属板は、所望される引張力に応じて、さまざまな厚さで製造可能である。高い引張力が所望される場合は、金属板を特に厚くする必要がある。金属板の厚さは、３〜２０ｍｍであることが好ましく、５ｍｍであることが最も好ましい。本発明によると、金属板は、銅、アルミニウム、または他の極めて高い熱伝導率を有する材料で形成可能である。あるいは、加圧板を金属製としないことも可能である。したがって、本発明によると、加圧板は硬質プラスチック製にし得る。
【００３０】
好ましくは、引張要素は加圧板に設けられた凹部に通され、引張要素は加圧板内にボルト留めされる、および／またはナットによって加圧板にボルト留めされる。ねじ込み接続は、引張要素によって加圧板に加えられる引張力の精確な調整を可能にする。ただし、本発明によると、引張要素が引張力を加圧板に加えるように引張要素を凹部に固定するために、他の固定手段の使用も可能である。本発明によると、引張要素を非導電材料製とすることが可能である。これにより、電流が引張要素に流れることを防止できる。これは、加圧板が電流を伝える本発明の複数の実施形態のために特に重要である。あるいは、引張部材を電気的に絶縁するために、引張部材を非導電材料で被覆することも可能である。
【００３１】
好ましくは、各加圧板に接続された引張部材によって電池部の方向に少なくとも５０Ｎ、好ましくは少なくとも１００Ｎ、特に好ましくは少なくとも２００Ｎの圧縮力が各加圧板に加えられるように、引張部材は加圧板に接続される。その結果、電池内の電池セルと接触部要素とが導電的および熱伝導的に特に良好に互いに接続される。加えて、このセル配列は、相応に高い引張力がセル集合体に加えられたときに、特に安定性がある。
【００３２】
少なくとも１つの加圧板が冷却フィンを有することが好ましい。加圧板が熱をより良好に放散し得るように、冷却フィンは加圧板の表面積を増やす。したがって、セル集合体からの熱が加圧板を介して電池の両端面から放散され得るので有利である。冷却フィンは、加圧板が銅またはアルミニウムなどの金属製であるときに特に適している。
【００３３】
好ましくは、電池部の終端端子は、隣接する電池部の終端端子に導電可能および熱伝導可能に直接当接する。正の終端端子が隣接する電池部の負の終端端子に直接当接すると特に極めて好適である。したがって、２つ以上の電池セルが直列に接続されるので、直接隣接し合う電池セルが接触部要素によって互いに分離されない。このような配置は、電池内の電流および熱流の十分な分散がセル配列内の小数の接触部要素によっても可能であるときに、もたらされ得る。これが当てはまるかどうかは、電池セルの容量性および他の特性によって決定的に決まる。
【００３４】
本発明の特定の一実施形態によると、電池は円形セルとして構成される。円形セルは、終端端子が両側面に配置された円筒体を有する。電池配置内で、円形セルは、その形状故に円形セル間の空隙がセル配列内に存在するという、従来の直方体のコーヒーバッグセルに勝る利点を有する。これら空隙は、１つ以上の電池セルが破裂する、または爆発さえする、という機能不全が電池内に発生したときに特に有利である。１つ以上のコーヒーバッグセルを有する従来の電池組立体には、破裂または爆発した電池が膨張しうる空間が電池内にない。過剰エネルギーを放散できないので、最悪の場合は電池全体の爆発に脅かされる、多くのセルを有する電池アレイになる。円形セルに基づくセル配列では、この危険性が著しく低減される。
【００３５】
本発明の特定の一実施形態によると、電池部の電池セルが通される少なくとも１つの位置決め板がセル集合体内に配置される。この位置決め板は少なくとも１つの電池セルを通すための凹部を少なくとも１つ有し、この凹部は電池部の電池セルの周囲の包囲体によって画成される。この凹部は、電池内の少なくとも１つの電池セルを位置決めして安定化させるために、少なくとも１つの電池セルの周囲に形状嵌合式に係合する。本明細書では、凹部の側縁面は、その凹部に通される全ての電池セルに必ずしも接触するとは限らない。凹部の側面に接触しない電池セルにも、凹部の側面に直接当接する隣接電池セルによって安定化効果が間接的に及ぼされる。位置決め板は金属製、プラスチック製、木製、または他の材料製にし得る。あるいは、位置決め板は１つの凹部を有するばかりでなく、複数の凹部を有する一続きの表面でもよく、各凹部に少なくとも１つの電池セルが通される。各凹部はそこに通される少なくとも１つの電池セルの周囲の包囲体によって画成されるので、凹部は電池内の少なくとも１つの電池セルを位置決めして安定化させるために少なくとも１つの電池セルに確実に係合する。
【００３６】
位置決め板が何れの場合も各接触部要素の両側に配置されると有益である。その結果、電池セルは、電池セルが接触部要素に接触する電池の区域において、特に良好に安定化される。特に、接触部要素が専用に構成された接触部を有し、そこに電池セルを接触させる場合は、位置決め板のこのような配置が有利である。この場合、正の終端端子および負の終端端子を接触部要素の面域に特に精確に位置決めできる。
【００３７】
好ましくは、少なくとも１つの接触部要素が放熱要素を介してヒートシンクに熱伝導可能に接続される。このヒートシンクは電池の外側にあるべきであるが、電池の一部を形成してもよい。適切に配置された放熱要素によって、熱流をセル配列から放散できる。
【００３８】
セル配列を本発明による熱伝導性筐体によって囲むことができる。筐体は熱伝導性であるので、セル集合体からの熱を吸収するためのヒートシンクとして、更に場合によっては、その熱を熱伝導可能に接続された他のヒートシンクに伝達するためのヒートシンクとして、有用である。上記の放熱要素は、筐体に熱伝導可能に接続され得る。筐体は、金属製であることが好ましく、鉄製、アルミニウム製、または金属合金製であることが特に好ましい。このような筐体は、セル集合体を外部の諸影響から保護するために適している。筐体は、好ましくは、加圧板が載置される開口部を２つ有する。筐体は、本発明によると、細長い凹部を換気用スロットとして有し得る。
【００３９】
接触部要素は、本発明によると、金属体として形成され得る。この金属体は銅製またはアルミニウム製であると特に好適である。金属体は優れた導電率および熱伝導率を有する。複数の電池セルを金属体によって並列および直列に接続できる。金属体上の接触部は、特定の形状構成を有する必要がない。ただし、本発明によると、接触部は隆起として構成され得る、または隆起を備え得る。金属体は板状でもよく、または段状面を有してもよい。本発明によると、金属体の偏位した幾何学的形状構成も可能である。
【００４０】
本発明の別の実施形態によると、接触部要素は、部分的に非導電材料製の導体構造要素として形成される。この導体構造要素は第１の側および第２の側の各々に少なくとも１つの導電性および熱伝導性の接触部を有し、各接触部は他の各接触部に導電可能および熱伝導可能に接続される。この目的のために、本発明によると、接触部要素の非導電材料に導電性および熱伝導性の材料が埋め込まれ得る。導体構造要素は、電池セル同士の電気接続および熱接続の確立を可能にする。接触部要素が導体構造要素として構成されるときは、電池セルと接触部要素との間の特に良好な導電性および熱伝導性の接続が発生するように、電池の電池セルが接触部要素に比較的大きな力で押し当てられると特に有利である。導体構造要素は回路基板でもよい。ただし、空間的に異なる構成の要素でもよい。したがって、本発明による導体構造要素は、直方体形状または別の形状を有し得る。
【００４１】
本発明によると、導電性および熱伝導性材料製のコアが導体構造要素の非導電材料に配置され得る。この場合、コアとは反対方向に向いた非導電材料の両側に何れの場合も少なくとも１つの接触部が配置される。少なくとも１つの導電性および熱伝導性の貫通要素がコアを通って、およびコアの両側に配置された非導電材料を通って、延在する。第２の側の接触部への第１の側の接触部の電気接続および熱伝導接続が貫通要素を介して形成されるように、および熱流がコアによって採集されて導体構造要素から放散され得るように、貫通要素はコアから電気的に絶縁され、第１の側の少なくとも１つの接触部および第２の側の少なくとも１つの接触部に導電可能に接続される。したがって、このような導体構造要素を有する電池においては、電流および熱流が電池のセル集合体において分散されるばかりでなく、コアによる吸収も可能である。これにより、熱流を導体構造要素から、ひいてはセル集合体からも、コアを介して放散させることが可能である。本発明によると、コアは導体構造要素から引き出されてヒートシンクに熱伝導的に接続され得る。あるいは、熱伝導性のコアは、ヒートシンクに熱伝導可能に接続された放熱要素に接続可能である。
【００４２】
電池は、少なくとも２つの接触部と導電性および熱伝導性の接続部とが導体構造要素の第１の側に配置され、この接続部は第１の側の接触部を互いに導電可能および熱伝導可能に接続し、第１の側の各接触部に電気ヒューズが対応付けられ、接続部は各接触部に対応付けられた電気ヒューズを介して各接触部に接続されるように、更に構成され得る。導体構造要素の第１の側の各接触部が第１の側の他の各接触部に、および導体構造要素の第２の側の各接触部に、少なくとも１つの電気ヒューズによって固定されるように、接続部は導電性の貫通要素を介して導体構造要素の非導電材料を通って第２の側の少なくとも１つの接触部に導電可能に接続される。したがって、電池セル同士は、導体構造要素によって互いに対して固定され得る。これは、欠陥の故に電池セルの抵抗が崩壊して高すぎる電流がこの電池セルに流れた場合に特に有利である。この場合、この電池セルの正または負の終端端子に導電可能および熱伝導可能に接続されている導体構造要素の接触部に対応付けられている電気ヒューズがトリガされる。その結果、この欠陥のある電池セルはセル配列から電気的に絶縁される。
【００４３】
好ましくは、導体構造要素の各接触部の下に、接触部にかかる接触圧の作用下で弾性変形可能な弾性材料が配置される。本発明によると、この弾性材料は、接触部の下の導体構造要素の非伝導性材料内に配置され得る。押圧力が接触部に加わると、接触部および弾性材料の両方が変形される。したがって、接触部と電池セルとの間に特に良好な導電性および熱伝導性の接続の確立が可能である。電池セルが接触部に押し当てられたとき、導体構造要素の局所的変形の故に、他の部分におけるその望ましくない変形、または導体構造要素の損傷でさえ、回避される。一代替実施形態によると、接触部を製作する材料は弾性である。したがって、導体構造要素の接触部が導電性および熱伝導性の弾性材料から形成され得る。
【００４４】
接触部要素は、特に導体構造要素として構成されているとき、複数のばね要素をその接触部に有すると更に好適である。これらばね要素は、導電性および熱伝導性の材料、例えば金属、で構成され得る。これらばね要素は、接触部要素の接触部に導電可能および熱伝導可能に接続される。選択された材料およびその構造の故に、ばね要素は弾性変形可能である。これらばね要素は、本発明の可能な複数の実施形態によると、コイルばねでもよく、あるいはスポンジ状の材料製または伸縮生地製のばねでもよい。これらばね要素は、電池の電池セルと接触部要素との間の向上された接触を確立するために役立つ。加えて、これらばね要素は電池内の電池セルと接触部要素との間の接触力を均衡化させるので、接触部要素の望ましくない断面変形が防止される。更に、セル集合体がまとめて加圧されたときに、電池部の全ての電池セルに加わる接触圧がより一様になる。これは、電池セルと接触部要素との間の電気および熱の転移抵抗が低減されるので、望ましい。
【００４５】
本発明の複数の更なる実施形態が図面に示されている。
【図面の簡単な説明】
【００４６】
【図１】本発明による電池のセル配列の概略図である。
【図２】図１の電池のセル集合体の一部の略断面図である。
【図３】回路基板として具現化された接触部要素の第１の側の概略図である。
【図４】図３による接触部要素の第２の側の概略図である。
【図５】貫通凹部を有する回路基板として構成された接触部要素の略断面図である。
【図６】隣接電池セルを有する平坦な接触部要素の略側面図である。
【図７】隣接電池セルを有する段状面付き接触部要素の略側面図である。
【図８】筐体を有する本発明による電池の概略図である。
【図９】引張要素用凹部の円形アレイを有する回路基板として構成された接触部要素の第１の側の概略図である。
【図１０】引張要素用凹部の円形アレイを有する回路基板として構成された接触部要素の第１の側の概略図である。
【発明を実施するための形態】
【００４７】
図１は、電池２のセル配列１の概略図を示す。電池２は、加圧板３と引張要素４とを有する。このセル配列では、複数の電池セル５の各々が電池部６内に横並びに配置される。電池部６内に配置された電池セル５は、互いに並列に接続される。電池セル５の並列接続は、接触部要素７によって可能になる。この目的のために、電池セル５の終端端子が接触部要素７に導電可能および熱伝導可能に接続される。セル配列１のこの構造の故に、電流および熱流をセル配列１全体にわたって特に良好に分散できる。
【００４８】
接触部部材７の各々は、２つの電池部６の間に配置される。各電池部６は、７つの電池セル５の高さを有する。隣接し合う電池部６の電池セル５は、それらの間に配置された接触部要素７によって直列に接続される。したがって、セル集合体１内の電池セル５は互いに並列および直列に接続される。
【００４９】
電池始端領域８および電池終端領域９が電池２内の電池セル５の正の終端端子または負の終端端子（図示せず）によって形成される。電池始端領域８および電池終端領域９は、外側の接触部要素７に接続される。外側の接触部要素７は、電池セル５の終端端子を導電可能および熱伝導可能に接続する。電池始端領域８および電池終端領域９とは反対側に面する接触部要素７の側にそれぞれ加圧板３が配置される。加圧板３は銅製である。したがって、極めて高い熱伝導率を有する。
【００５０】
これら加圧板３は、引張要素４によって互いに接続される。ここで、引張要素４は、引張力を加圧板３に加えるように、加圧板３にボルト留めされる。その結果、セル集合体１はまとめて加圧される。特に、各電池セル５は接触部要素７に押し当てられる。その結果、電池セル５の終端端子と接触部要素７との間の接触面積が増え、電池セル５と接触部要素７との間で電流および熱流がより良好に流れ得るので、セル集合体１全体にわたってもより良好に分散され得る。これは、電池２内の局所的熱ホットスポットの回避に寄与する。更に、本発明の故に、セル配列１をまとめて加圧する加圧板３と引張要素４とによって、本発明の電池２は機械的応力に対する抵抗力が特に高い。
【００５１】
電池セル５がセル集合体１内に確実に保持されることを保証するために、電池セル５は複数の位置決め板１０によって囲まれる。これら位置決め板１０は、各電池部６内の電池セル５を形状嵌合式に取り囲む。電池セル５の終端端子を接触部要素７に精確に接触させる必要があるので、ここで位置決め板１０は接触部要素７の近傍に配置される。
【００５２】
接触部要素７は導体構造要素である。導体構造要素は、この場合において、平坦な回路基板として構成される。これら回路基板は、回路基板から側方に引き出されたコア１１を有する。回路基板の外側で、コア１１は放熱要素１２を形成する。セル配列１からの熱は、放熱要素１２を介して放散可能である。放熱要素１２は、接触部要素７の平面に位置する第１平坦部１３と、接触部要素７の平面に垂直に配置された別の平面に位置する第２平坦部１４とを有する。第２平坦部１４は、接触部要素７からの熱流が筐体（図示せず）に、またはヒートシンク（図示せず）に、放散され得るように、筐体またはヒートシンクに熱伝導可能に接続されるように適合化される。
【００５３】
図２は、図１による電池２のセル配列１の一部分の略断面図を示す。この場合、電池セル５は第１セル平面１５および第２セル平面１６に配置されている。この場合、電池セル５は互いに直接隣接している。第２セル平面１６の各々は、第１セル平面１５より電池セル５の数が１つ少ない。これにより、複数の外側通路部１７がもたらされる。これら外側通路部１７に引張要素４が通され得る。これら外側通路部１７は、できる限り多くの電池セル５をできる限り小さいセル集合体１の断面積に配置可能にする。このようにして、第２セル平面１６に２つの通路部１７が形成される。第２セル平面１６は、隣接する第１セル平面１５より電池セル５の数が１つ少ない。第２セル平面１６から１つの電池セル５を除去することによって、２つの外側通路部１７が形成される。各外側通路部１７に１本以上の引張要素４が通され得る。この場合においては、各外側通路部１７に１本の引張要素４が通される。ただし、セル集合体１の一様な安定化を実現するために、内側通路部１８が設けられる。この場合においては内側通路部１８には電池セル５が何も配置されない。内側通路部１８には引張要素４が通される。
【００５４】
電池セル５は、電池部６において位置決め板１０によって囲まれる。位置決め板１０に引張要素用凹部１９が設けられ、そこに引張要素４が通されて外側通路部１７に通される。
【００５５】
図３は、回路基板として具現化された接触部要素７の第１の側２０を概略図で示す。この場合においては、第１セル平面および第２セル平面に電池セルが配置されたセル配列のための接触部要素７が設けられる。本明細書では、接触部要素７は、４つの第１セル平面と３つの第２セル平面とを有するセル配列に適しており、第１セル平面および第２セル平面に８つおよび７つの電池セルがそれぞれ配置される。接触部要素７は、引張要素が通され得る引張要素用凹部１９を有する。
【００５６】
接触部要素７は、非導電材料で部分的に形成される。接触部要素７の非導電材料の第１の側に、導電材料および熱伝導材料としての銅が複数面域に貼り付けられる。この銅材料は、いくつかの接触部２１を有する。これらは、電池セルの終端端子に接触するために構成される。この目的のために、接触部２１は隆起として構成される。接触部２１は、非導電材料製の絶縁部２２によって接続部２３から分離される。接続部２３は平坦である。接続部２３は、接触部２１同士を互いに導電可能および熱伝導可能に接続する。ヒューズとして寸法設計された導電性および熱伝導性のトラック２４が各絶縁部２２に通される。これにより、接触部２１が相互に電気的に固定される。
【００５７】
各絶縁部２２の周囲に、ひいては各接触部２１の周囲にも、いくつかの貫通凹部２５が円形に配置される。各貫通凹部２５内に貫通要素（図示せず）が配置される。貫通要素は貫通凹部２５に貼り付けられる。貫通要素は銅製であり、接触部要素７の第１の側２０の接続部２３を接触部要素７の第２の側（図示せず）に導電可能および熱伝導可能に接続する。したがって、電池セルから接触部２１に流れる電流が伝導性トラック２４および接触部要素を介して接触部要素７の第２の側に伝導され得る。
【００５８】
アルミニウム製のコア１１が接触部要素７に配置される。コア１１は、接触部２１から、および貫通要素から、電気的に絶縁される。コアは、その一部が接触部要素７の外側の複数領域まで側方に延在する。接触部要素７の外側のこれら領域において、コア１１は放熱要素１２を形成する。この場合においては、４つの放熱要素１２の各々が第１面積部１３と共に示されている。接触部要素７の第２の側にも、引張要素４が通され得る上記の引張要素用凹部１９が見える。
【００５９】
図４は、図３の接触部要素７の第２の側２６を概略図で示す。接触部要素７の第２の側２６に、接続および接触領域２７として銅層が形成される。接続および接触領域２７には、電池セルの終端端子を接触させるために適した接触部２１が複数配置される。各接触部２１の周囲に、いくつかの貫通凹部２５が円形に配置される。接触部要素７内の貫通凹部２５は、上記のように構成される。
【００６０】
この場合においては、更に、４つの放熱要素１２の各々が第１面積部１３と共に示されている。接触部要素７の第２の側にも、引張要素４が通され得る引張要素用凹部１９が見える。
【００６１】
図５は、貫通凹部２５を有する回路基板として構成された接触部要素７の略断面図を示す。接触部要素７は部分的にのみ示されている。接触部要素７は、非導電性の基板材料２８を有する。基板材料２８は、銅製のコア１１を包囲する。接触部要素７の第１の側２０に、銅層が接続部２３を形成する。接触部要素７の第２の側２６に、銅層が接続および接触領域２７を形成する。貫通凹部２５が接触部要素７を貫通する。貫通凹部２５は、接続部２３と接続および接触領域２７とを貫通する。貫通凹部２５の側縁に、銅製の貫通要素２９が薄層として複数区域に貼り付けられる。これにより、貫通要素２９は、基板材料２８によってコア１１から電気的に絶縁される。ただし、熱流は基板材料２８を通って流れ得るので接触部要素７のコア１１によって放散され得る。
【００６２】
図６は、隣接する電池セル５を有する平坦形状の接触部要素７を略側面図で示す。電池セル５は正の終端端子３１と負の終端端子３２とを有する。電池セル５の正の終端端子３１および負の終端端子３２は、接触部要素７に導電可能および熱伝導可能に接続される。このため、これら端子は、接触部要素７の第１の側および第２の側の接触部（図示せず）に当接する。接触部要素７の図示の実施形態によると、正の終端端子３１に接続される接触部は、一共通平面に位置する。負の終端端子３２に接続される接触部も一共通平面に位置する。
【００６３】
図７は、隣接電池セルとの段状面付き接触部の略側面図を示す。電池セル５は正の終端端子３１と負の終端端子３２とを有する。電池セル５の正の終端端子３１および負の終端端子３２は、接触部要素７に導電可能および熱伝導可能に接続される。このため、これら端子は、接触部要素７の第１の側および第２の側の接触部（図示せず）に当接する。接触部要素７の図示の実施形態によると、接触部要素７の第１の側が段状に形成されるので、正の終端端子３１に接続される接触部は２つの異なる平面に位置する。接触部要素７の第２の側が段状に形成されるので、負の終端端子３２に接続される接触部も２つの異なる平面に位置する。
【００６４】
図８は、筐体３３を有する本発明による電池２の概略表現を示す。筐体３３はアルミニウム製であり、接触部要素を有する本発明によるセル配列を包囲する。この場合、セル集合体からの熱流が筐体３３に放散され得るように、放熱要素が筐体３３の内側で筐体３３に接続される。筐体３３は、ヒートシンクの役割を果たす保持板３４に固定的に接続される。筐体３３は、加圧板３によって２つの端面において閉鎖される。加圧板３が筐体３５内のセル集合体の冷却に寄与するように、加圧板３は冷却フィン３５を有する。引張要素（図示せず）が加圧板３を貫通し、ナット３６によって加圧板３にボルト留めされる。加圧板３は、引張要素から電気的に絶縁される。
【００６５】
図９は、複数の引張要素用凹部１９の円形配置を有する回路基板として構成された接触部要素７の第１の側の概略図を示す。接触部要素は、接触部２１と、絶縁部２２と、接続部２３と、貫通凹部２５とを備える。これらは、図３の接触部要素７のように形成される。接触部要素７は、引張要素用凹部１９を更に備える。これら引張要素用凹部１９は、接触部要素７にほぼ円形状に配置される。このような配置では、引張要素用凹部１９が接触部要素７の端縁領域にのみ配置された場合に比べ、接触部要素７にかかる力がより均一に分散され得ることが分かっている。引張要素用凹部１９の図示の配置によって、セル配列をまとめて加圧したときに接触部要素７の屈曲が回避される。屈曲すると、セル集合体内の個々のセルが接触不良になるか、または全く接触しなくなり得る。したがって、引張要素用凹部１９の図示の配置は特に有利である。
【００６６】
図１０は、引張要素用凹部１９が分散配置された回路基板として構成された接触部要素７の第１の側の概略図を示す。接触部要素７は、接触部２１と、絶縁部２２と、接続部２３と、貫通凹部２５とを備える。これらは、図３の接触部要素７のように形成される。接触部要素７は、引張要素用凹部１９を更に備える。引張要素用凹部１９は、接触部要素７に分散配置される。このような配置では、引張要素用凹部１９が接触部要素７の端縁領域にのみ配置された場合に比べ、接触部要素７にかかる力がより均一に分散され得ることが分かっている。引張要素用凹部１９の図示の配置によって、セル配列をまとめて加圧したときに接触部要素７の屈曲が回避される。屈曲すると、セル集合体内の個々のセルが接触不良になるか、または全く接触しなくなり得る。したがって、引張要素用凹部１９の図示の配置は有利である。
【符号の説明】
【００６７】
１  セル配列
２  電池
３  加圧板
４  引張要素
５  電池セル
６  電池部
７  接触部要素
８  電池始端領域
９  電池終端領域
１０  位置決め板
１１  コア
１２  放熱要素
１３  放熱要素の第１平坦部
１４  放熱要素の第２平坦部
１５  第１セル平面
１６  第２セル平面
１７  外側通路部
１８  内側通路部
１９  引張要素用凹部
２０  接触部要素の第１の側
２１  接触部
２２  絶縁部
２３  接続部
２４  伝導性トラック
２５  貫通凹部
２６  接触部要素の第２の側
２７  接続および接触領域
２８  基板材料
２９  貫通要素
３０  弾性材料
３１  正の終端端子
３２  負の終端端子
３３  筐体
３４  保持板
３５  冷却フィン
３６  ナット
【図１】
2019522322.tif 000003
【図２】
2019522322.tif 000004
【図３】
2019522322.tif 000005
【図４】
2019522322.tif 000006
【図５】
2019522322.tif 000007
【図６】
2019522322.tif 000008
【図７】
2019522322.tif 000009
【図８】
2019522322.tif 000010
【図９】
2019522322.tif 000011
【図１０】
2019522322.tif 000012
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
セル配列（１）を有する電池（２）であって、前記セル配列（１）は複数の電池セル（５）を有し、前記セル配列（１）は少なくとも２つの電池部（６）を有し、各電池部（６）は複数の電池セル（５）で構成され、各電池セル（５）は第１終端端子および第２終端端子を有し、各電池セルの（５）前記第１終端端子および前記第２終端端子の間に電池セル長手方向軸線が延び、各電池部（６）の前記電池セル長手方向軸線の各々は互いに平行に配置され、前記電池部（６）は互いに隣接配置され、少なくとも２つの隣接電池部（６）の間に、第１の側（２０）と第２の側（２６）とを有する少なくとも部分的に導電性および熱伝導性の接触部要素（７）が配置され、前記接触部要素（７）は、前記第１の側（２０）および前記第２の側（２６）の各々に少なくとも１つの導電性および熱伝導性の接触部（２１）を有し、前記電池部（６）は、前記電池部（６）の前記電池セル（５）の前記電池セル長手方向軸線に垂直に前記電池部（６）の前記電池セル（５）のうちの少なくとも１つを通って延びる平面を各電池部（６）に割り当て可能であるように、互いに対して配置され、この平面は前記電池部（６）に隣接する複数の電池部（６）に交差せず、その接触部要素（７）の前記第１の側（２０）に面する前記終端端子はこの第１の側（２０）の前記少なくとも１つの接触部（２１）に導電可能および熱伝導可能に接続され、この接触部要素（７）の前記第２の側（２６）に面する前記終端端子はこの第２の側（２６）の前記少なくとも１つの接触部（２１）に導電可能および熱伝導可能に接続され、電流および熱流がセル集合体（１）全体にわたって分散されるように前記電池セル（５）の終端端子が前記接触部要素（７）を介して互いに導電可能および熱伝導可能に接続され、
前記接触部要素（７）は部分的に非導電材料製の導体構造要素として形成され、前記導体構造要素は第１の側（２０）および第２の側（２６）の各々に少なくとも１つの導電性および熱伝導性の接触部（２１）を有し、各接触部（２１）は他の各接触部（２１）に導電可能および熱伝導可能に接続され、
前記導体構造要素の前記非導電材料に導電材料製および熱伝導材料製のコア（１１）が配置され、前記コア（１１）とは反対方向に向いた前記非導電材料の両側に何れの場合も前記少なくとも１つの接触部（２１）が配置され、少なくとも１つの導電性および熱伝導性の貫通要素（２９）が前記コア（１１）を貫通し、前記コア（１１）の両側に配置された前記非導電材料を貫通して延在し、前記貫通要素（２９）は、前記第２の側（２６）の前記接触部（２１）への前記第１の側（２０）の前記接触部（２１）の導電性および熱伝導性の接続が前記貫通要素（２９）を介して行われるように、および前記コア（１１）によって熱流が採集されて前記導体構造要素から放散可能であるように、前記コア（１１）から電気的に絶縁され、前記第１の側（２０）の前記少なくとも１つの接触部（２１）および前記第２の側（２６）の前記少なくとも１つの接触部（２１）に導電可能に接続される、
ことを特徴とする電池（２）。
【請求項２】
前記第１の側（２０）の前記少なくとも１つの接触部（２１）に接続された前記終端端子は前記接触部要素（７）を介して互いに導電可能および熱伝導可能に相互接続され、前記第２の側（２６）の前記少なくとも１つの接触部（２１）に接続された前記終端端子は前記接触部要素（７）を介して互いに導電可能および熱伝導可能に相互接続され、前記電池セル（５）が直列電気接続および並列電気接続で互いに導電可能に接続されるように前記第１の側（２０）の前記少なくとも１つの接触部（２１）に接続された前記終端端子は前記接触部要素（７）を介して前記第２の側（２６）の前記少なくとも１つの接触部（２１）に導電可能および熱伝導可能に相互接続されることを特徴とする、請求項１に記載の電池（２）。
【請求項３】
隣接し合う電池部（６）が前記隣接し合う電池部（６）のうちの１つの電池セル長手方向軸線の方向に互いに離隔されることを特徴とする、請求項１または２に記載の電池（２）。
【請求項４】
隣接し合う電池部（６）の前記電池セル（５）は、一電池部（６）の一電池セル（５）の電池セル長手方向軸線に平行にこの電池セル（５）を通って延びる少なくとも１つの軸線が、隣接する一電池部（６）内の一電池セル（５）に交差するように、配置されることを特徴とする、請求項１〜３の何れか一項に記載の電池（２）。
【請求項５】
隣接し合う電池部（６）の前記電池セル（５）は一接触部要素（７）に反対の向きで当接することを特徴とする、請求項１〜４の何れか一項に記載の電池（２）。
【請求項６】
前記電池（２）の全ての電池部（６）の前記電池セル（５）は互いに平行に位置合わせされた電池セル長手方向軸線を有することを特徴とする、請求項１〜５の何れか一項に記載の電池（２）。
【請求項７】
前記電池（２）の前記電池部（６）は前記電池セル長手方向軸線に平行に延びる電池軸線に沿って互いに前後に配置されることを特徴とする、請求項６に記載の電池（２）。
【請求項８】
前記電池の全ての電池部が電池室内に位置し、前記電池軸線に垂直な前記電池室の電池室断面が前記電池軸線に垂直な電池部の電池部包囲体の最大電池部断面に相当し、前記最大電池部断面は前記電池軸線に沿った全ての電池部の全ての電池部断面を含む電池部の電池部断面であることを特徴とする、請求項７に記載の電池（２）。
【請求項９】
前記電池セル（５）の第１終端端子は電池のプラス端子を形成し、前記電池セル（５）の第２終端端子は電池のマイナス端子を形成し、一電池部（６）の前記電池セル（５）の各々は電池のプラス端子のみを介して、または電池のマイナス端子のみを介して、一接触部要素（７）に接続されることを特徴とする、請求項１〜８の何れか一項に記載の電池（２）。
【請求項１０】
前記接触部要素（７）は板状に構成されることを特徴とする、請求項１〜９の何れか一項に記載の電池（２）。
【請求項１１】
前記接触部要素（７）は互いにずらして段状に配置された複数の平坦部を前記接触部要素（７）に有することを特徴とする、請求項１〜１０の何れか一項に記載の電池（２）。
【請求項１２】
加圧板（３）が前記セル配列（１）の電池始端領域（８）および電池終端領域（９）の各々に配置され、前記加圧板（３）は引張要素（４）を介して互いに接続され、これにより前記少なくとも１つの接触部要素（７）に当接する前記電池セル（５）は前記少なくとも１つの接触部要素（７）に押し当てられ、前記電池始端領域（８）および前記電池終端領域（９）は前記セル集合体（１）の第１端部および第２端部において終端端子によって画成されることを特徴とする、請求項１〜１１の何れか一項に記載の電池（２）。
【請求項１３】
前記電池部（６）内の前記電池セル（５）は第１セル平面および第２セル平面（１５、１６）に配置され、前記第１セル平面および前記第２セル平面（１５、１６）は電池部（６）内に交互に配置され、各セル平面に沿って少なくとも２つの電池セル（５）が配置され、前記第１セル平面（１５）の隣接電池セル（５）と前記第２セル平面（１６）の隣接電池セル（５）との間に等しい距離が予め決められ、前記第１セル平面（１５）の前記電池セル（５）は前記第２セル平面（１６）の前記電池セル（５）からずらして配置され、前記引張要素（４）のうちの１つが通される少なくとも１つの外側通路部（１７）が前記側方表面内に形成されるように全ての電池部（６）内の前記電池セル（５）が同様に配置されることを特徴とする、請求項１〜１２の何れか一項および請求項７に記載の電池（２）。
【請求項１４】
前記電池セル（５）は前記電池部（６）のコーナー領域において他の２つの電池セル（５）に当接し、前記電池部（６）の端縁領域において他の３つの電池セル（５）に当接し、コーナー領域または端縁領域に配置されていない全ての電池セル（５）が他の６つの電池セル（５）に当接することを特徴とする、請求項１〜１２の何れか一項に記載の電池（２）。
【請求項１５】
電池部（６）の終端端子が隣接電池部（６）の終端端子に導電可能および熱伝導可能に直接当接することを特徴とする、請求項１〜１４の何れか一項に記載の電池（２）。
【請求項１６】
前記電池部（６）の前記電池セル（５）が通される少なくとも１つの位置決め板（１０）が前記セル集合体（１）内に配置され、前記位置決め板（１０）は少なくとも１つの電池セル（５）を通すための、前記電池部（６）の前記電池セル（５）の周囲の包囲体によって画成された、少なくとも１つの凹部を有し、前記凹部は、少なくとも１つの電池セル（５）を前記電池（２）の内部に位置決めし安定化させるために、前記少なくとも１つの電池セル（５）の周囲に形状嵌合式に係合することを特徴とする、請求項１〜１５の何れか一項に記載の電池（２）。
【請求項１７】
何れの場合も各接触部要素（７）の両側に位置決め板（１０）が配置されることを特徴とする、請求項１６に記載の電池（２）。
【請求項１８】
少なくとも１つの接触部要素（７）が放熱要素（１２）を介してヒートシンクに熱伝導可能に接続されることを特徴とする、請求項１〜１７の何れか一項に記載の電池（２）。
【請求項１９】
前記セル配列（１）は熱伝導性の筐体（３３）によって囲まれることを特徴とする、請求項１〜１８の何れか一項に記載の電池（２）。
【請求項２０】
少なくとも２つの接触部（２１）と導電性および熱伝導性の接続部（２３）とが前記導体構造要素の前記第１の側（２０）に配置され、前記接続部（２３）は前記第１の側（２０）の前記接触部（２１）を互いに導電可能および熱伝導可能に接続し、前記第１の側（２０）の各接触部（２１）に電気ヒューズ（２４）が対応付けられ、前記接続部（２３）は各接触部（２１）にこの接触部（２１）に対応付けられた電気ヒューズ（２４）を介して接続され、前記接続部（２３）は、前記導体構造要素の前記第１の側（２０）の各接触部（２１）が前記第１の側（２０）の他の各接触部（２１）に、および前記導体構造要素の前記第２の側（２６）の各接触部（２１）に、少なくとも１つの電気ヒューズによって固定されるように、導電性の貫通要素（２９）を介して前記導体構造要素の前記非導電材料を通って前記第２の側（２６）の前記少なくとも１つの接触部（２１）に導電可能に接続されることを特徴とする、請求項１〜２０の何れか一項に記載の電池（２）。
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
セル配列（１）を有する電池（２）であって、前記セル配列（１）は複数の電池セル（５）を有し、前記セル配列（１）は少なくとも２つの電池部（６）を有し、各電池部（６）は複数の電池セル（５）で構成され、各電池セル（５）は第１終端端子および第２終端端子を有し、各電池セルの（５）前記第１終端端子および前記第２終端端子の間に電池セル長手方向軸線が延び、各電池部（６）の前記電池セル長手方向軸線の各々は互いに平行に配置され、前記電池部（６）は互いに隣接配置され、少なくとも２つの隣接電池部（６）の間に、第１の側（２０）と第２の側（２６）とを有する少なくとも部分的に導電性および熱伝導性の接触部要素（７）が配置され、前記接触部要素（７）は、前記第１の側（２０）および前記第２の側（２６）の各々に少なくとも１つの導電性および熱伝導性の接触部（２１）を有し、前記電池部（６）は、前記電池部（６）の前記電池セル（５）の前記電池セル長手方向軸線に垂直に前記電池部（６）の前記電池セル（５）のうちの少なくとも１つを通って延びる平面を各電池部（６）に割り当て可能であるように、互いに対して配置され、この平面は前記電池部（６）に隣接する複数の電池部（６）に交差せず、その接触部要素（７）の前記第１の側（２０）に面する前記終端端子はこの第１の側（２０）の前記少なくとも１つの接触部（２１）に導電可能および熱伝導可能に接続され、この接触部要素（７）の前記第２の側（２６）に面する前記終端端子はこの第２の側（２６）の前記少なくとも１つの接触部（２１）に導電可能および熱伝導可能に接続され、電流および熱流がセル集合体（１）全体にわたって分散されるように前記電池セル（５）の終端端子が前記接触部要素（７）を介して互いに導電可能および熱伝導可能に接続され、
前記接触部要素（７）は部分的に非導電材料製の導体構造要素として形成され、前記導体構造要素は第１の側（２０）および第２の側（２６）の各々に少なくとも１つの導電性および熱伝導性の接触部（２１）を有し、各接触部（２１）は他の各接触部（２１）に導電可能および熱伝導可能に接続され、
前記導体構造要素の前記非導電材料に導電材料製および熱伝導材料製のコア（１１）が配置され、前記コア（１１）とは反対方向に向いた前記非導電材料の両側に何れの場合も前記少なくとも１つの接触部（２１）が配置され、少なくとも１つの導電性および熱伝導性の貫通要素（２９）が前記コア（１１）を貫通し、前記コア（１１）の両側に配置された前記非導電材料を貫通して延在し、前記貫通要素（２９）は、前記第２の側（２６）の前記接触部（２１）への前記第１の側（２０）の前記接触部（２１）の導電性および熱伝導性の接続が前記貫通要素（２９）を介して行われるように、および前記コア（１１）によって熱流が採集されて前記導体構造要素から放散可能であるように、前記コア（１１）から電気的に絶縁され、前記第１の側（２０）の前記少なくとも１つの接触部（２１）および前記第２の側（２６）の前記少なくとも１つの接触部（２１）に導電可能に接続される、
ことを特徴とする電池（２）。
【請求項２】
前記第１の側（２０）の前記少なくとも１つの接触部（２１）に接続された前記終端端子は前記接触部要素（７）を介して互いに導電可能および熱伝導可能に相互接続され、前記第２の側（２６）の前記少なくとも１つの接触部（２１）に接続された前記終端端子は前記接触部要素（７）を介して互いに導電可能および熱伝導可能に相互接続され、前記電池セル（５）が直列電気接続および並列電気接続で互いに導電可能に接続されるように前記第１の側（２０）の前記少なくとも１つの接触部（２１）に接続された前記終端端子は前記接触部要素（７）を介して前記第２の側（２６）の前記少なくとも１つの接触部（２１）に導電可能および熱伝導可能に相互接続されることを特徴とする、請求項１に記載の電池（２）。
【請求項３】
隣接し合う電池部（６）が前記隣接し合う電池部（６）のうちの１つの電池セル長手方向軸線の方向に互いに離隔されることを特徴とする、請求項１または２に記載の電池（２）。
【請求項４】
隣接し合う電池部（６）の前記電池セル（５）は、一電池部（６）の一電池セル（５）の電池セル長手方向軸線に平行にこの電池セル（５）を通って延びる少なくとも１つの軸線が、隣接する一電池部（６）内の一電池セル（５）に交差するように、配置されることを特徴とする、請求項１〜３の何れか一項に記載の電池（２）。
【請求項５】
隣接し合う電池部（６）の前記電池セル（５）は一接触部要素（７）に反対の向きで当接することを特徴とする、請求項１〜４の何れか一項に記載の電池（２）。
【請求項６】
前記電池（２）の全ての電池部（６）の前記電池セル（５）は互いに平行に位置合わせされた電池セル長手方向軸線を有することを特徴とする、請求項１〜５の何れか一項に記載の電池（２）。
【請求項７】
前記電池（２）の前記電池部（６）は前記電池セル長手方向軸線に平行に延びる電池軸線に沿って互いに前後に配置されることを特徴とする、請求項６に記載の電池（２）。
【請求項８】
前記電池の全ての電池部が電池室内に位置し、前記電池軸線に垂直な前記電池室の電池室断面が前記電池軸線に垂直な電池部の電池部包囲体の最大電池部断面に相当し、前記最大電池部断面は前記電池軸線に沿った全ての電池部の全ての電池部断面を含む電池部の電池部断面であることを特徴とする、請求項７に記載の電池（２）。
【請求項９】
前記電池セル（５）の第１終端端子は電池のプラス端子を形成し、前記電池セル（５）の第２終端端子は電池のマイナス端子を形成し、一電池部（６）の前記電池セル（５）の各々は電池のプラス端子のみを介して、または電池のマイナス端子のみを介して、一接触部要素（７）に接続されることを特徴とする、請求項１〜８の何れか一項に記載の電池（２）。
【請求項１０】
前記接触部要素（７）は板状に構成されることを特徴とする、請求項１〜９の何れか一項に記載の電池（２）。
【請求項１１】
前記接触部要素（７）は互いにずらして段状に配置された複数の平坦部を前記接触部要素（７）に有することを特徴とする、請求項１〜１０の何れか一項に記載の電池（２）。
【請求項１２】
加圧板（３）が前記セル配列（１）の電池始端領域（８）および電池終端領域（９）の各々に配置され、前記加圧板（３）は引張要素（４）を介して互いに接続され、これにより前記少なくとも１つの接触部要素（７）に当接する前記電池セル（５）は前記少なくとも１つの接触部要素（７）に押し当てられ、前記電池始端領域（８）および前記電池終端領域（９）は前記セル集合体（１）の第１端部および第２端部において終端端子によって画成されることを特徴とする、請求項１〜１１の何れか一項に記載の電池（２）。
【請求項１３】
前記電池部（６）内の前記電池セル（５）は第１セル平面および第２セル平面（１５、１６）に配置され、前記第１セル平面および前記第２セル平面（１５、１６）は電池部（６）内に交互に配置され、各セル平面に沿って少なくとも２つの電池セル（５）が配置され、前記第１セル平面（１５）の隣接電池セル（５）と前記第２セル平面（１６）の隣接電池セル（５）との間に等しい距離が予め決められ、前記第１セル平面（１５）の前記電池セル（５）は前記第２セル平面（１６）の前記電池セル（５）からずらして配置され、前記引張要素（４）のうちの１つが通される少なくとも１つの外側通路部（１７）が前記側方表面内に形成されるように全ての電池部（６）内の前記電池セル（５）が同様に配置されることを特徴とする、請求項１〜１２の何れか一項および請求項７に記載の電池（２）。
【請求項１４】
前記電池セル（５）は前記電池部（６）のコーナー領域において他の２つの電池セル（５）に当接し、前記電池部（６）の端縁領域において他の３つの電池セル（５）に当接し、コーナー領域または端縁領域に配置されていない全ての電池セル（５）が他の６つの電池セル（５）に当接することを特徴とする、請求項１〜１２の何れか一項に記載の電池（２）。
【請求項１５】
電池部（６）の終端端子が隣接電池部（６）の終端端子に導電可能および熱伝導可能に直接当接することを特徴とする、請求項１〜１４の何れか一項に記載の電池（２）。
【請求項１６】
前記電池部（６）の前記電池セル（５）が通される少なくとも１つの位置決め板（１０）が前記セル集合体（１）内に配置され、前記位置決め板（１０）は少なくとも１つの電池セル（５）を通すための、前記電池部（６）の前記電池セル（５）の周囲の包囲体によって画成された、少なくとも１つの凹部を有し、前記凹部は、少なくとも１つの電池セル（５）を前記電池（２）の内部に位置決めし安定化させるために、前記少なくとも１つの電池セル（５）の周囲に形状嵌合式に係合することを特徴とする、請求項１〜１５の何れか一項に記載の電池（２）。
【請求項１７】
何れの場合も各接触部要素（７）の両側に位置決め板（１０）が配置されることを特徴とする、請求項１６に記載の電池（２）。
【請求項１８】
少なくとも１つの接触部要素（７）が放熱要素（１２）を介してヒートシンクに熱伝導可能に接続されることを特徴とする、請求項１〜１７の何れか一項に記載の電池（２）。
【請求項１９】
前記セル配列（１）は熱伝導性の筐体（３３）によって囲まれることを特徴とする、請求項１〜１８の何れか一項に記載の電池（２）。
【請求項２０】
前記放熱要素（１２）は前記筐体（３３）に接続されることを特徴とする、請求項１８および請求項１９に記載の電池（２）。
【請求項２１】
少なくとも２つの接触部（２１）と導電性および熱伝導性の接続部（２３）とが前記導体構造要素の前記第１の側（２０）に配置され、前記接続部（２３）は前記第１の側（２０）の前記接触部（２１）を互いに導電可能および熱伝導可能に接続し、前記第１の側（２０）の各接触部（２１）に電気ヒューズ（２４）が対応付けられ、前記接続部（２３）は各接触部（２１）にこの接触部（２１）に対応付けられた電気ヒューズ（２４）を介して接続され、前記接続部（２３）は、前記導体構造要素の前記第１の側（２０）の各接触部（２１）が前記第１の側（２０）の他の各接触部（２１）に、および前記導体構造要素の前記第２の側（２６）の各接触部（２１）に、少なくとも１つの電気ヒューズによって固定されるように、導電性の貫通要素（２９）を介して前記導体構造要素の前記非導電材料を通って前記第２の側（２６）の前記少なくとも１つの接触部（２１）に導電可能に接続されることを特徴とする、請求項１〜２０の何れか一項に記載の電池（２）。
【国際調査報告】
2019522322.tif 000013
2019522322.tif 000014
2019522322.tif 000015
2019522322.tif 000016
2019522322.tif 000017
2019522322.tif 000018